(57)【要約】      （修正有）【課題】遠赤外線効果や放熱性、ストレス軽減効果等を備えた軽量なメガネ部品及びメガネを提供する。【解決手段】メガネ２の一部を構成するメガネ部品１であって、炭素純度が９０％以上且つ２０００℃以上の熱処理により結晶化された炭素材料を含んで構成されていることを特徴とする。【選択図】図１
2019040170.tif 000002
【特許請求の範囲】
【請求項１】
メガネの一部を構成するメガネ部品であって、
炭素純度が９０％以上且つ２０００℃以上の熱処理により結晶化された炭素材料を含んで構成されていることを特徴とするメガネ部品。
【請求項２】
請求項１において、
前記炭素材料が黒鉛粒子であり、樹脂材に３〜５μｍの前記黒鉛粒子を２０〜５０％含有させて形成されていることを特徴とするメガネ部品。
【請求項３】
請求項１において、
前記炭素材料が、炭素繊維強化炭素複合材料からなる可撓性を有した炭素シートであり、
前記メガネの一部を構成する台座が、樹脂材からなり、
前記台座の装着者の皮膚に接する面に炭素シートが設けられていることを特徴とするメガネ部品。
【請求項４】
請求項３において、
前記樹脂材が、シリコーン樹脂であり、
前記台座が、前記シリコーン樹脂に３〜５μｍの黒鉛粒子を２０〜５０％含有させて形成されていることを特徴とするメガネ部品。
【請求項５】
請求項１〜請求項４のいずれか１項において、
装着者の皮膚に向けて突出し等方性高密度炭素材からなる突部を備えていることを特徴とするメガネ部品。
【請求項６】
請求項１〜請求項５のいずれか１項において、
前記メガネに固着可能な接着層を有していることを特徴とするメガネ部品。
【請求項７】
請求項１〜請求項６のいずれか１項において、
装着者の皮膚に接触する部位は、ダイヤモンド・ライク・カーボンもしくは導電性コーティングが施されていることを特徴とするメガネ部品。
【請求項８】
請求項１〜請求項６のいずれか１項において、
前記メガネの一部を構成する台座に設けられた保持部と、前記保持部に保持される消臭剤とを有していることを特徴とするメガネ部品。
【請求項９】
請求項８において、
前記保持部内には、芳香剤或いは臭いを吸着し分解する人工酵素がさらに収納されていることを特徴とするメガネ部品。
【請求項１０】
請求項１〜請求項９のいずれか１項に記載のメガネ部品を備えたメガネ。
【発明の詳細な説明】
【技術分野】
【０００１】
本発明は、鼻パッドやモダン等、メガネの一部を構成するメガネ部品及びこれを備えたメガネに関する。
【背景技術】
【０００２】
従来より、炭素材料を用いたメガネ製品が種々、提案されている。
下記特許文献１には、射出成型されるメガネフレームの樹脂製製品において、材料となるペレットに適量の竹炭微粉末を混ぜて成形したものが開示されている。これによれば、竹炭の化学物質等の吸着作用により、健康阻害を防止できるとされている。また下記特許文献２には、メガネフレームの前面部となるフロントの本体部を炭素繊維を主体とする素材で一体成形し、本体部のリム部に沿うようにチタンやチタン合金で形成された補強部材を取り付けたものが開示されている。これによれば、メガネフレームの軽量化を図ることができるとされている。
【先行技術文献】
【特許文献】
【０００３】
【特許文献１】特開２００４−６１５７５号公報
【特許文献２】特開２０１１−９０２０１号公報
【発明の概要】
【発明が解決しようとする課題】
【０００４】
しかしながら、上記特許文献１に記載のものは、炭素材料として触れると真っ黒になってしまう竹炭を用いるため、製造過程において取扱いが難しいことが考えられる。例えば竹炭を用いると、製造装置自体や成形型、ホッパー等が真っ黒になってしまうため、竹炭入りでないメガネフレームが作れない専用の装置になる等、問題がある。
上記特許文献２に記載のものは、軽量化を目的としており、炭素材料が持つ遠赤外線効果や放熱性、臭い吸着効果、ストレス軽減効果等に着目して開発されたものではない。炭素材料が持つとされているこれら効果は、炭素材料であればいずれもこのような効果を発揮できるというものではない。いかなる炭素材料であるか、また炭素材料をいかにして取り入れるかが重要である。
【０００５】
本発明は、このような事情を考慮して提案されたもので、その目的は、遠赤外線効果や放熱性、ストレス軽減効果等を備えた軽量なメガネ部品及びこれを備えたメガネを提供することにある。
【課題を解決するための手段】
【０００６】
上記目的を達成するために、本発明のメガネ部品は、メガネの一部を構成するメガネ部品であって、炭素純度が９０％以上且つ２０００℃以上の熱処理により結晶化された炭素材料を含んで構成されていることを特徴とする。
【発明の効果】
【０００７】
メガネ部品及びこれを備えたメガネによれば、上述の構成となっているため、遠赤外線効果や放熱性、ストレス軽減効果等を備えた軽量なものとすることができる。
【図面の簡単な説明】
【０００８】
【図１】（ａ）は本発明の第１実施形態に係るメガネ部品（鼻パッド）を模式的に示す斜視図であり、（ｂ）は同メガネ部品を模式的に示す断面図、（ｃ）は同メガネ部品を備えたメガネの一例を模式的に示す斜視図である。
【図２】（ａ）は本発明の第２実施形態に係るメガネ部品（鼻パッド）を模式的に示す正面図であり、（ｂ）は同メガネ部品を模式的に示す背面図である。（ｃ）及び（ｄ）は同メガネ部品の組付け工程を説明する図であり、（ａ）のＸ−Ｘ線断面図を示している。（ｅ）及び（ｆ）は同メガネ部品に磁石を備えた変形例を示した図であり、同変形例の組付け工程を説明する図である。
【図３】（ａ）は第２実施形態に係るメガネ部品（鼻パッド）をメガネに取り付ける前の状態を示す模式的斜視図であり、（ｂ）は（ａ）に示すメガネに同メガネ部品を取り付けた後の状態を示す模式的斜視図である。
【図４】（ａ）は本発明の第３実施形態に係るメガネ部品（鼻パッド）を模式的に示す正面図であり、（ｂ）は同メガネ部品を模式的に示す背面図である。（ｃ）及び（ｄ）は同メガネ部品の組付け工程を説明する図であり、（ａ）のＹ−Ｙ線断面図を示している。（ｅ）及び（ｆ）は同メガネ部品に磁石を備えた変形例を示した図であり、同変形例の組付け工程を説明する図である。
【図５】(ａ)は本発明の第４実施形態に係るメガネ部品（鼻パッド）の台座を模式的に示す正面図であり、（ｂ）は同メガネ部品の台座を模式的に示す背面図である。（ｃ）及び（ｄ）は同メガネ部品の組付け工程を説明する図であり、（ｃ）は（ａ）のＺ−Ｚ線断面図を示した図である。（ｅ）は第４実施形態に係るメガネ部品の模式的斜視図である。
【図６】（ａ）は本発明の第５実施形態に係るメガネ部品（鼻パッド）を模式的に示す正面図であり、（ｂ）は同メガネ部品を模式的に示す背面図である。
【図７】（ａ）は第５実施形態に係るメガネ部品（鼻パッド）をメガネに取り付ける前の状態を示す模式的斜視図であり、（ｂ）は（ａ）に示すメガネに同メガネ部品を取り付けた後の状態を示す模式的斜視図である。
【図８】（ａ）は本発明の第６実施形態に係るメガネ部品（モダン）を模式的に示す正面図であり、（ｂ）は同メガネ部品を備えたメガネの一例を模式的に示す斜視図である。
【図９】(ａ)は本発明の第７実施形態に係るメガネ部品（モダン）を模式的に示す正面図であり、（ｂ）は、同メガネ部品に突部を取り付ける前の状態を説明するための図である。（ｃ）は突部の側面図、（ｄ）は突部の変形例を説明するための模式的断面図である。
【図１０】(ａ)〜（ｄ）は本発明の第８実施形態に係るメガネ部品（モダン）の構造を説明するための図であり、（ａ）及び（ｃ）は同メガネ部品を模式的に示す斜視図、（ｂ）は同メガネ部品を模式的に示す正面図、（ｄ）は同メガネ部品に組み付けるポット部を模式的に示す斜視図である。
【図１１】(ａ)〜（ｃ）は本発明の第９実施形態に係るメガネ部品（モダン）の構造を説明するための図であり、（ａ）は同メガネ部品を模式的に示す斜視図、（ｂ）は同メガネ部品を模式的に示す正面図、（ｃ）は同メガネ部品に組み付けるポット部を模式的に示す斜視図である。
【図１２】(ａ)は本発明の第１０実施形態に係るメガネ部品（モダン）の一例を模式的に示す正面図であり、（ｂ）及び（ｃ）はメガネ部品（モダン）の他例を模式的に示す正面図である。
【図１３】（ａ）は本発明の第１１実施形態に係るメガネ部品（鼻パッド及びモダン）をメガネに取り付ける前の状態を示す模式的斜視図であり、（ｂ）は（ａ）に示すメガネに同メガネ部品を取り付けた後の状態を示す模式的斜視図である。
【図１４】（ａ）、（ｃ）、（ｄ）は第１１実施形態に係るメガネ部品（鼻パッド）の様々な形状の例を示す模式的平面図、（ｂ）は（ａ）のＷ―Ｗ線断面図である。
【図１５】（ａ）、（ｃ）、（ｄ）は第１１実施形態に係るメガネ部品（鼻パッド）の様々な形状の例を示す模式的平面図、（ｂ）は（ａ）のＷ’―Ｗ’線断面図である。
【発明を実施するための形態】
【０００９】
以下に、本実施形態に係るメガネ部品について、図面を参照して説明する。
本実施形態に係るメガネ部品１は、メガネ２の一部を構成する例えば鼻パッド２１やモダン２６等に適用される。本実施形態では第１〜第１１実施形態に係るメガネ部品１，１Ａ〜１Ｌを説明するが、いずれも炭素純度が９０％以上且つ２０００℃以上の熱処理により結晶化された炭素材料を含んで構成されている。
以下、詳しく説明する。
【００１０】
＜第１実施形態＞
（メガネの構成）
図１には第１実施形態に係るメガネ部品１を示している。ここに示すメガネ部品１は、鼻パッドとして用いられる。鼻パッド２１，２１は、装着者の鼻を両側から挟むようにして当て、メガネ２を支えるための部材である。メガネ部品１，１が取り付けられるメガネ２は、図１（ｃ）に示すようにレンズ２０，２０、鼻パッド１，１（２１，２１）、テンプル２３，２３、リム２４，２４、ブリッジ２５、モダン２６，２６を備えており、図中、２７は鼻パッド２１を支持するクリングスである。
なお、メガネ２の構成は図例に限定されず、例えば、レンズ２０，２０を有さないメガネとしてもよいし、レンズ２０，２０を有する場合は、度入り、度なしのいずれでもよく、サングラスとしてもよい。さらに、通信機能や、動画・音楽視聴機能などを備えたメガネ型のウェアラブル端末などとしてもよい。なお、鼻パッド２１の形状は図例に限定されず、リム２４と一体的に形成されるものであってもよい。
【００１１】
（メガネ部品１）
図１（ａ）及び図１（ｂ）に示すメガネ部品１は、略米粒形状の台座１１と、クリングス２７と接続される接続パーツ１３とを有しており、この例は、メガネ部品１自体が鼻パッド２１を構成した例を示している。
装着者の鼻に接触する台座１１は、熱可塑性の樹脂材に対して３〜５μｍの黒鉛粒子を２０〜５０％含有させて形成されている。
炭素純度が９０％以上且つ２０００℃以上の熱処理により結晶化された炭素材料として用いられる黒鉛粒子は、３〜５μｍ前後に粉砕され微細化された人造黒鉛、鱗状黒鉛、アセチレンブラック等が挙げられる。これらはいずれも、炭素純度が９０％以上である。熱可塑性の樹脂材としては、ポリプロピレン、シリコーン、ポリスチレン、ポリアミド、ハロゲン化ビニル樹脂、ポリアセタール、ポリエステル、ポリカーボネート、ポリアリールスルホン、ポリアリールケトン、ポリフェニレンエーテル、ポリフェニレンスルフィド、ポリアリールエーテルケトン、ポリエーテルスルホン、ポリフェニレンサルファイドスルフォン、ポリアリレート、液晶ポリエステル、フッ素樹脂等が挙げられる。これらは単独又は２種以上組み合わせて用いてもよい。
【００１２】
このような樹脂材に上述の黒鉛粒子を２０〜５０％含有させ、ペレット状にする。そして成型型内に接続パーツ１３を配し、熱を加えて溶けたペレットを成型型に供給して射出成型する。
このとき用いられる黒鉛粒子は、粒度が微細であればあるほどよく、また樹脂材に対して黒鉛粒子を多く含ませられれば、効果の向上が期待できる。しかし結晶化した炭素材料の原料によっては、微細に粉砕し難いものもある。また混入させる樹脂材によっては黒鉛粒子とうまく混ざらないものもあり、ひとくちに黒鉛粒子といっても射出成型するには、様々な問題がある。例えばアセチレンブラックは、微細な粒子にしやすく高い導電性が有しているが、樹脂材と混ざりにくい。発明者は種々試験を行った結果、炭素材料は高温焼成による結晶化が導電性を高めるために必須であり、上述の樹脂材と混ぜて射出成型を行うには、３〜５μｍ前後に粉砕して用いることが最適であることを見出した。上述の黒鉛粒子を３μｍより小さく均一に粉砕することは難しく、黒鉛粒子が５μｍより大きくなると樹脂材と混ざりにくい傾向となる。また樹脂材に対して含有される黒鉛粒子が２０％より少なくなると、高い導電性を期待できない傾向となり、黒鉛粒子が５０％より多くなると射出成型がうまくいかない傾向となる。
以上によれば、高い導電性、高い熱伝導性を有するとともに、遠赤外線効果や放熱性、ストレス軽減効果等を備え軽量なメガネ部品１の量産化を可能とすることができる。また上述の炭素材料とすれば、竹炭のように成型型等の製造装置が真っ黒になるようなことがない。
【００１３】
以下に炭素純度が９０％以上且つ２０００℃以上の熱処理により結晶化された炭素材料が有する導電性と遠赤外線効果のメカニズムを述べる。
人体は、身体組成の６０％は水分、２５％は炭素であり、３６．５℃の平均体温で常に１０ミクロンの遠赤外線を放射している。一方、上述のように高温焼成により結晶化させた炭素材料は導電性が高いため、熱伝導性も高く、熱吸収がよい。従って、人体の皮膚に上述の炭素材料が触れたり近づいたりすると、人体が遠赤外線を吸収して加温される。すなわち、これら炭素材と人体との間で同じ波長の遠赤外線を放射し合い、炭素材は約３６．５℃を維持する一方で身体の中では水分子が激しく衝突して、この振動が運動エネルギーとなって、熱に変換され身体が加温される。
その結果、遠赤外線が皮下組織や血管などに作用して血流が改善され、本発明者によれば、抹消、中枢の血流に１５％の上昇効果があることが確認されている。また、これらの炭素材は、α波を発生して、身体を癒して疲労を軽減し、健康増進に寄与すると考えられる。また既存のメガネ２の一部分にこのような炭素材を取り入れることで、ストレス（緊張・不安・抑うつ・混乱）が軽減された試験結果も得られており、ストレス社会の昨今にこのようなメガネ部品１は非常に有用なものといえる。
このメカニズムは、後記する炭素繊維強化炭素複合材料（Ｃ／Ｃコンポジット）、等方性高密度炭素材等の炭素材料をメガネ部品に用いた場合も同様である。
【００１４】
またメガネ部品１の表面（装着者の鼻に接触する面）に、ダイヤモンド・ライク・カーボン（以下、ＤＬＣという）でコーティングを施しても良い。ＤＬＣは炭素を主原料とし、アモルファス構造（非晶質構造）で構成されており、ＤＬＣのコーティング法としては、スパッタリング、ガス化学反応、蒸着法、ドーピング法等が挙げられる。ＤＬＣは、ナノレベルの厚みであっても、硬質であり、低摩耗・高湿潤性を有する。よって、強度のあるメガネ部品１とすることができる。ＤＬＣの層厚は、例えば、５μｍ〜１０μｍ、さらに薄膜の０．０５〜１．５μｍとしてもよい。
さらにメガネ部品１の表面全体を着色塗料で所望の色に塗装し、その上からＤＬＣを施してもよい。台座１１は炭素材料で構成されているので、黒色になるが、着色塗装を施せば、ファッション性の高いメガネ部品１とすることができ、これにＤＬＣの薄膜を施せば高級感のある光沢と艶が施されたメガネ部品１とすることができる。ＤＬＣは、薄茶色の被膜であるが、上述の膜厚０．０５〜１．５μｍの薄膜とすれば、ＤＬＣの色がほとんどわからず、所望する美しい発色を実現できる。
メガネ部品１の表面に施すＤＬＣは、メガネ部品１として求められる機能にあわせて、導電性、撥水性等の高機能ＤＬＣを施してもよい。導電性ＤＬＣを施せば静電気を防ぐことができる。また撥水性ＤＬＣを施せば撥水機能を付与することができる。
【００１５】
そしてメガネ部品１の表面（装着者の鼻に接触する面）は、梨地加工により梨地状に形成されたものとしてもよい。梨地状とは、複数の微小な凹凸が物体の表面に形成された状態をいい、物体表面に梨地加工が施されることにより梨地が形成され、梨地状となる。これによれば、装着者の鼻に密着する面積が小さくなり、装着者にさらさらとした感触を与えることが可能となる。また滑り止めの効果を奏するとともに、メガネ２を掛けた際の皮膚への接触の感触が心地良くなり、皮膚への接触面が皮膚にまとわり付く感触を低減させることができる。さらに、指紋などの汚れを目立ち難くさせる効果も有する。
梨地加工としては、砂や鉄、ガラスなどの、いわゆるメディアを、空気と混合させ、圧力を加えて物体表面にぶつけるサンドブラストや、上記メディアを水と混合させて物体表面にぶつける液体ホーニング、などの種々の方法を用いてもよい。
【００１６】
また図示していないが、図２（ｅ）、（ｆ）に示すように磁石を内蔵させたメガネ部品１としてもよい。この場合、例えば接続パーツ１３に予め磁石を接着しておき、成型内に設置して射出成形すれば、容易に製造することができる。磁石は、永久磁石を用いてもよい。永久磁石としては、レアアース磁石、サマリウムコバルト磁石、フェライト磁石等を用いてもよく、その中で、望ましくは、強い磁力を有するネオジウム磁石を用いてもよい。メガネ部品１に設ける磁石を総磁束密度を例えば３５〜２００ミリステラとすれば、医療機器とすることができる可能性がある。このように磁石を設けたものとすれば、磁石の磁力により、上述の効果に加え、身体のコリの解消や血流の促進効果等を図ることができる。
なお、メガネ部品１の形状は、図例に限定されず、一般的なメガネ２の鼻パッド２１と略同形状に形成される。またこのメガネ部品１に第３実施形態で説明する突部１２を設けたものとしてもよい。またメガネ部品１のエッジ部分も図例に限定されず、Ｒ加工（面取加工）等が施されたものとしてもよい。
【００１７】
＜第２実施形態＞
図２、図３を参照しながら、第２実施形態に係るメガネ部品１Ａについて説明する。メガネ部品１Ａは、メガネ２の鼻パッド２１の上に被せて装着するタイプのものである。以下では、上述の実施形態と同じ構成には同じ符号を付し、主に異なる点について説明する。
【００１８】
（メガネ部品１Ａ）
図２（ａ）及び（ｂ）に示すメガネ部品１Ａは、略米粒形状とされ、装着者の皮膚に接触する表面１１ａ側には、炭素純度が９０％以上且つ２０００℃以上の熱処理により結晶化された炭素材料、具体的には炭素繊維強化炭素複合材料からなる可撓性を有した炭素シート１０が設けられる。炭素シート１０は、図２（ｃ）及び（ｄ）に示すように表面１１ａに設けられた切り込み溝１１ｃに端部１０ａが挿し込まれて台座１１に保持される。装着者の皮膚に接触しない側、すなわち裏面１１ｂ側は図２（ｂ）に示すように鼻パッド２１を被せる穴になっている。
炭素シート１０は台座１１の表面１１ａ側に接着剤によって固定するようにしてもよいが、台座１１の材質によっては、接着剤による接着が難しい場合がある。
以上によれば、炭素シート１０を切り込み溝１１ｃに挿し込むだけで炭素シート１０を台座１１に取り付けることができる。
なお、メガネ部品１Ａの形状は、一般的なメガネ２の鼻パッド２１と略同形状に形成されればよい。よってメガネ部品１Ａの形状は本実施形態に限定されることはない。
【００１９】
（炭素シート）
炭素シート１０は可撓性のある炭素繊維強化炭素複合材料（以下、Ｃ／Ｃコンポジットという）からなるものとするのが望ましい。炭素シート１０の厚みは特に限定されないが、例えば０．２〜０．６ｍｍ程度とすれば、可撓性のあるものとすることができる。これによれば、強度が高く、鼻パッド２１に被せて取り付けられたときにも、しならせることができるだけでなく、炭素材料特有の遠赤外線放射作用を有したものとできる。
Ｃ／Ｃコンポジットとは、炭素を炭素繊維で強化したものである。その製造方法としては、例えば、炭素繊維とプラスチック（主に上述したような熱可塑性のもの）とによる繊維強化複合材である炭素繊維強化プラスチック（ＣＦＲＰ）を成形硬化後、不活性雰囲気の中で熱処理し、母材のプラスチックを炭化させて製造するようにしてもよい。なお、Ｃ／ＣコンポジットのＣ／Ｃとは、Ｃａｒｂｏｎ  Ｆｉｂｅｒ  Ｒｅｉｎｆｏｒｃｅｄ  Ｃａｒｂｏｎの略語である。
【００２０】
具体的に以下のようにしてＣ／Ｃコンポジットを製造してもよい。
まず種々の成形法にて、炭素繊維を芯材にしたフェノール樹脂成形物（ＣＦＲＰ）を製造し、それを真空中で２０００℃〜３０００℃で焼成して、フェノール樹脂の部分を炭化させ結晶化させる。これにより炭素繊維の周囲にフェノール樹脂が炭化してできたカーボンで囲まれた状態のものが得られる。このとき、フェノール樹脂の中の炭素以外の成分（水素、酸素など）は気化して消失するので、フェノール樹脂が炭化したカーボンの中には多数の気泡が生成されている。この気泡を埋めるべく、この焼成済みのものをフェノール樹脂液に浸し加圧含浸させ、その後、焼成炭化する。これにより、Ｃ／Ｃコンポジットが得られる。このようにして得られたＣ／Ｃコンポジットを削り出してシート状にすれば、炭素純度が９９．９％の炭素シート１０とすることができる。
【００２１】
またＣ／Ｃコンポジットは、炭素繊維強化プラスチックやガラス繊維強化プラスチックなどと比較して、軽量であり、強度や弾性力が高く、磨耗がし難いので、割れ・欠けが発生し難く、耐熱性も有する。また、Ｃ／Ｃコンポジットは熱伝導性が高いので、接触する鼻や顔面などの部位が発する熱を吸収して放熱する作用があり、清涼感をもたらし、メガネ２の掛け心地が良好になる。さらに、Ｃ／Ｃコンポジットは導電性を有するので静電気の発生を緩和することができる。そして、炭素材料であるＣ／Ｃコンポジットには、上述のとおり、遠赤外線放射作用がある。
【００２２】
（台座）
台座１１は、シリコーン樹脂に３〜５μｍの第１実施形態で説明した黒鉛粒子を２０〜５０％含有させて射出成型により形成してもよい。
これによれば所望する形状に製造しやすく、既存のメガネ２の鼻パッド２１にも取り付けしやすい。またシリコーン樹脂は肌馴染みがよいので、装着者の付け心地がよいものとできる。
なお、熱可塑性樹脂としては上述の他、ポリプロピレン、ポリスチレン、ポリアミド、ハロゲン化ビニル樹脂、ポリアセタール、ポリエステル、ポリカーボネート、ポリアリールスルホン、ポリアリールケトン、ポリフェニレンエーテル、ポリフェニレンスルフィド、ポリアリールエーテルケトン、ポリエーテルスルホン、ポリフェニレンサルファイドスルフォン、ポリアリレート、液晶ポリエステル、フッ素樹脂等が挙げられる。これらは単独又は２種以上組み合わせて用いてもよい。
【００２３】
炭素シート１０の表面、すなわち、装着者の皮膚に接触する部位は、梨地加工により梨地状に形成されたものとしてもよい点は第１実施形態と同様である。また炭素シート１０の表面は、ダイヤモンド・ライク・カーボン（以下、ＤＬＣという）でコーティングされているものとしてもよい点も第１実施形態と同様である。
【００２４】
図２（ｅ）、（ｆ）は、メガネ部品１Ａに磁石Ｍを備えた変形例を示した図である。
この変形例のメガネ部品１Ａ’は、台座１１の表面１１ａ側に凹所１１ａａを備え、その凹所１１ａａには、平板状の磁石Ｍが埋め込まれ、その上から炭素シート１０を固定する構造となっている。磁石Ｍは凹所１１ａａに接着剤等を用いて固定するようにしてもよい。磁石Ｍは、永久磁石を用いてもよく、永久磁石としては、レアアース磁石、サマリウムコバルト磁石、フェライト磁石等を用いられる点、医療機器とすることができる可能性がある点等は第１実施形態と同様である。このように磁石Ｍを設けたものとすれば、磁石Ｍの磁力により、上述の効果に加え、身体のコリの解消や血流の促進効果等を図ることができる。
【００２５】
図３（ａ）は、メガネ部品１Ａ，１Ａを鼻パッド２１に取り付け前のメガネ２であり、図３（ｂ）は、メガネ部品１Ａ，１Ａを取り付け後のメガネ２である。台座１１が柔軟性のあるシリコーン樹脂でできているので、メガネ部品１Ａの裏面１１ｂ側の穴を鼻パッド２１に被せれば、容易に鼻パッド２１の上に取り付けることができる。
【００２６】
＜第３実施形態＞
図４を参照しながら、第３実施形態に係るメガネ部品１Ｂについて説明する。メガネ部品１Ｂは、第２実施形態のメガネ部品１Ａとは、突部１２を有している点が異なるが、その他の点は共通し、メガネ２の一部分である一対の鼻パッド２１，２１の上に重ねて取り付けるものを示している。よって、メガネ部品１Ｂは、表面１１ａ側に炭素シート１０を設け、炭素シート１０は、図４（ｃ）及び（ｄ）に示すように表面１１ａに設けられた切り込み溝１１ｃに端部１０ａが挿し込まれて台座１１に保持される点は共通する。また裏面１１ｂ側は図４（ｂ）に示すように鼻パッド２１を被せる穴になっている点も共通する。以下では、上述の実施形態と同じ構成には同じ符号を付し、主に異なる点について説明する。
【００２７】
（突部）
メガネ部品１Ｂは、径３〜５ｍｍの略半球状の突部１２が炭素シート１０の上に１つ形成されている。突部１２の高さ寸法（炭素シート１０の表面からの突出寸法）は、例えば、１ｍｍ〜３ｍｍ程度としてもよい。突部１２は炭素シート１０に接着剤等によって固定され、突部１２の形状や形成箇所、サイズ、個数などは、図例のものに限られず、種々の構成としてもよい。例えば、突部１２の形状を、略円錐形状としたり、略多角柱形状や略円柱形状などとしてもよい。突部１２の形成位置は、鼻パッド２１の上に重ねて取り付けられた時に皮膚を刺激して心地よいと感じる位置に形成されるのが望ましく、例えば鼻のツボを刺激するような位置に（例えば晴明等）形成するようにしてもよい。これによれば、突部１２によってツボが刺激され眼精疲労や鼻づまり改善に効果を発揮する。
【００２８】
突部１２は、第１実施形態で記載したように、樹脂材に３〜５μｍの結晶化した黒鉛粒子を２０〜５０％含有させて形成されたものとしてもよいが、等方性高密度炭素材からなるものとしてもよい。等方性高密度炭素材とは、ＣＩＰ材（ＣＩＰとは、Ｃｏｌｄ  Ｉｓｏｓｔａｔｉｃ  Ｐｒｅｓｓ（冷間静水圧プレス）の略である）、又は等方性黒鉛とも呼ばれ、炭素純度が９０％以上且つ２０００℃以上の熱処理により結晶化された炭素材料である。等方性高密度炭素材は、導電性及び熱伝導率が高く、外部の熱や光などの形で吸収したエネルギーにより多量の遠赤外線を放射する素材である。
従って、突部１２は人体の体温で加熱され、人体の組織と共鳴して、遠赤外線を放射するので、これにより、人体の深奥部が加熱され、血流が促進され、健康増進効果を奏する。また、このように皮膚に接触する部位を熱伝導率の高い等方性高密度炭素材で構成しているので、等方性高密度炭素材が接触した皮膚の熱が、等方性高密度炭素材へ吸収され易くなり、皮膚が冷やされ、メガネ２の装着時において清涼感をもたらすことができる。さらに突部１２を備えた例の場合は、台座１１に必ずしも黒鉛粒子が２０〜５０％含有されていなくてもよいし、炭素シート１０が炭素入りのシートでなくても、装着者の皮膚に接触する突部１２が９０％（９９．９％）以上の炭素純度からなる炭素材料そのもので構成されているので、上述の効果を奏し得るのである。この等方性高密度炭素材は、原料をゴム製の容器に入れて、６面を等圧でプレスすることにより製造される。従って、力が均一にかかるので、どの面も強度にバラツキが少なく、きめが細かく、他の成形方法と比べて機械的特性に優れた材料となる。
【００２９】
等方性高密度炭素材は、具体的には、以下のようにして製造してもよい。
まず、黒鉛などの炭化物の粒子状の炭素材料に、フェノール系接着剤、及びピッチ又はタールなどのバインダを５％程度加えて、弾性を有する型（例えば、ゴム製の型）に充填する。当該型は、本実施形態で言えば、突部１２の形状となる製造物を得ることのできる型である。そして、その型をシールし、圧力容器内に水没させて圧力媒体である水で加圧する。こうすることにより、炭素材料が全方向より等圧的に加圧されるので、ランダムに配向し等方性（異方比１．０〜１．１）の塊が生成される。その後、型から取り出した炭素材料の塊を、酸素を欠乏させた状態で加熱し、最終的に２０００〜３０００℃程度で焼成する。焼成の途中、フェノール成分や、ピッチ又はタールは昇温途中の約１２００℃程度で揮発するので、炭素材料は結晶化（黒鉛化）し、炭素純度が９０％以上である高密度で整った結晶構造となる。このように等方性高密度炭素材を上記工程によって製造し、この原素材に対して削り出し加工を施すことにより突部１２を製造してもよい。
【００３０】
図４（ｅ）及び図４（ｆ）は、メガネ部品１Ｂの突部１２に磁石Ｍを備えた変形例を示した図である。
この変形例のメガネ部品１Ｂ’は、突部１２の裏面に凹所１２ａが形成されており、その凹所１２ａに、円板状の磁石が埋め込まれている構造となっている。このように磁石Ｍを設けたものとすれば、磁石Ｍの磁力により、上述の効果に加え、身体のコリの解消や血流の促進効果等を図ることができる。
【００３１】
＜第４実施形態＞
図５を参照しながら、第４実施形態に係るメガネ部品１Ｃについて説明する。
なお、図５（ａ）、図５（ｂ）は説明のため、突部１２が台座１１に組み付けられる前の状態を示している。以下では、上述の実施形態と同じ構成には同じ符号を付し、主に異なる点について説明する。
【００３２】
メガネ部品１Ｃは、第３実施形態に係るメガネ部品１Ｂの変形例といえるもので、突部１２を備えている点で共通するが、その突部１２の設けられ方が異なるものである。
メガネ部品１Ｃの突部１２は、図５（ｃ）及び図５（ｄ）に示すように突部１２の周縁に鍔部１２ｂが設けられ（周囲に鍔のある帽子状）、台座１１の表面１１ａ側に形成された孔部１１ｄ（図５（ａ）及び図５（ｂ）参照）に裏面１１ｂ側から突部１２を挿し込むことで固定される（図５（ｅ）参照）。この場合は、台座１１がシリコーン樹脂で形成されているので、シリコーン樹脂特有の弾性力が作用して接着剤等を要することなく突部１２を保持できる。よって、台座１１に形成される孔部１１ｄは、突部１２の径の寸法に合わせて形成されている。
この実施形態においても、図４（ｄ）及び図４（ｆ）に示すように磁石Ｍを設けてもよい。
【００３３】
＜第５実施形態＞
図６、図７には、第５実施形態に係るメガネ部品１Ｄを示している。なお、上述の実施形態と同じ構成には同じ符号を付し、主に異なる点について説明する。
ここに示すメガネ部品１Ｄは、メガネ２の一部分である一対の鼻パッド２１，２１の上に重ねて取り付けるものを示しており、第２実施形態に係るメガネ部品１Ａの変形例というべきものである。このメガネ部品１Ｄは、メガネ２の鼻パッド２１，２１の形状に合わせて、図６（ａ）に示すように半円形状に切り込み部１１ｅを備えた点がメガネ部品１Ａとは異なり、図７（ａ）に示すようなクリングスのないメガネ２に好適である。
【００３４】
台座１１の材質や炭素シート１０を備えている点は、第２実施形態のメガネ部品１Ａと共通する。メガネ部品１Ｄの台座１１は上述のように半円形状からなり、直状の側面１１ｆには切り込み部１１ｅが形成されている。
よって、図７（ｂ）に示すように切り込み部１１ｅを鼻パッド２１に当てて切り込み部１１ｅから挿入させれば、鼻パッド２１の上に容易に重ねてメガネ部品１Ｄを取り付けることができる。
ここでは図示していないが、このメガネ部品１Ｄの炭素シート１０の上に第２実施形態のメガネ部品１Ｂに設けられている突部１２を有したものとしてもよいし、さらには突部１２に磁石Ｍを設けたものとしてもよい。また台座１１を第１実施形態で記載したように、樹脂材に３〜５μｍの結晶化した黒鉛粒子を２０〜５０％含有させて形成されたものとしてもよい。
【００３５】
＜第６実施形態＞
次に上述した実施形態とは異なる他の実施形態として、図８を示しながら説明する。なお、上述の実施形態と同じ構成には同じ符号を付し、主に異なる点について説明する。
メガネ部品１Ｅは、メガネ２のテンプル２３の先に形成され、耳掛部となるモダン２６を炭素純度が９０％以上且つ２０００℃以上の熱処理により結晶化された炭素材料を含んで構成したものである。本実施形態においても第１実施形態と同様に樹脂材に３〜５μｍ前後に粉砕された黒鉛粒子を２０〜５０％含有させ、ペレット状にし、熱を加えて溶けたペレットを成型型に供給して射出成型することにより製造可能である。この場合、台座１１をシリコーン樹脂やポリプロプレン等の樹脂材に上記黒鉛粒子が含有されたものとすれば、柔軟性があるので、図８（ａ）に示すように直線状のテンプル２３と一体成型した後、耳掛けとなるよう湾曲させることができる。図８（ａ）及び図８（ｂ）では、モダン２６部分の長い例を示している。このように炭素材料でできたモダン２６の領域を多くすることで、上述の効果をより一層発揮できる。
なお、モダン２６の形状、構成は図に限定されるものではなく、図１（ｃ）に示すようなモダン２６としてもよい。また後記する図９に示すような突部１２を備えたものとしてもよいし、さらに突部１２に図９（ｄ）に示すような磁石Ｍを設けたものとしてもよい。
【００３６】
モダン２６の表面、すなわち、装着者の皮膚に接触する部位は、梨地加工により梨地状に形成されたものとしてもよい点は第１実施形態と同様である。またモダン２６の表面、すなわち、装着者の皮膚に接触する部位を、各種ダイヤモンド・ライク・カーボン（以下、ＤＬＣという）でコーティングされているものとしてもよい点も第１実施形態と同様である。
以上によれば、第１実施形態に記載のものと同様の効果を奏するメガネ部品１Ｅとすることができる。
【００３７】
＜第７実施形態＞
図９を参照しながら、第７実施形態に係るメガネ部品１Ｆについて説明する。なお、上述の実施形態と同じ構成には同じ符号を付し、主に異なる点について説明する。メガネ部品１Ｆは、第６実施形態と同じくモダン２６に適用した例である。第６実施形態のメガネ部品１Ｅは、テンプル２３に台座１１を一体成型する例であるが、ここでは、メガネ２のテンプル２３の形状に合わせて形成された挿込溝１１ｇを備えた台座１１を形成し、後にテンプル２３を挿込溝１１ｇに挿し込んで構成される点で相違する。またメガネ２を装着した際に耳の後ろに当たる部位に突部１２を設けている点も相違する。
【００３８】
本実施形態においても第１実施形態と同様に樹脂材に高温焼成により結晶化し３〜５μｍ前後に粉砕した黒鉛粒子を２０〜５０％含有させ、ペレット状にし、熱を加えて溶けたペレットを成型型に供給して射出成型することにより製造可能である。この場合、台座１１をシリコーン樹脂やポリプロプレン等の樹脂材に上記黒鉛粒子が含有されたものとすれば、柔軟性があるので、別体に形成して後にテンプル２３に挿し込む構成とすることができ、装着者にもソフトにフィットする。モダン２６となる台座１１には、突部１２の鍔部１２ｂを挿し込んで組み込むための挿通孔１１ｇａが形成されている。挿通孔１１ｇａに突部１２を挿し込んで固定する突部１２の構成は、図９（ｂ）及び（ｃ）に示すように、図５に示す第４実施形態に係るメガネ部品１Ｃに用いられた鍔部１２ｂを有した突部１２と同じ構成とされる。
【００３９】
突部１２は第１実施形態で記載した樹脂材に３〜５μｍの結晶化した黒鉛粒子を２０〜５０％含有させて形成されたものとしてもよいが、等方性高密度炭素材からなるものとしてもよい。また図９（ｄ）に示すように、磁石Ｍを備えたものとしてもよい。
突部１２の形成位置は、例えば、耳のツボ、翳風（えいふう）を刺激するようにを形成すれば、突部１２でツボを押圧することで、顔のむくみ、くすみ、耳の疾患、めまい等に効果的に作用することが期待できる。また耳のツボ、耳門を刺激するように突部１２を形成すれば、突部１２でツボを押圧することで、頭痛の緩和、眼精疲労等に効果的に作用することが期待できる。
【００４０】
＜第８実施形態＞
次に図１０を参照しながら、第８実施形態に係るメガネ部品１Ｇについて説明する。なお、上述の実施形態と同じ構成には同じ符号を付し、主に異なる点について説明する。メガネ部品１Ｇは、第６、第７実施形態と同じくモダン２６に適用した例である点で共通するが、台座１１に保持部１５が設けられ、消臭効果を備えた構成としている点で相違する。
【００４１】
メガネ部品１Ｇは、台座１１と、台座に設けられた孔状の保持部１５と、保持部１５に保持されるポット１６と、ポット１６内に収納された消臭剤として活性炭Ｂとを有している。保持部１５は、台座１１の装着者の皮膚に接触する部位に形成され、台座１１の耳の後ろに接触する端部に形成されている。保持部１５の径寸法は、ポット１６の本体１６ａが嵌合されるように本体１６ａの径寸法にあわせて形成され、例えば５〜７ｍｍ程度に設定される。本体１６ａの素材は特に限定されないが、金属材もしくは合成樹脂材からなるものとしてもよい。台座１１は、装着者の皮膚に接触しない側に段差状に切欠き形成された切欠部１１ｈを備えている。切欠部１１ｈは、スライド式の蓋部材１４が嵌め合わされるように構成されている。この蓋部材１４は、ポット１６に収納され活性炭Ｂが漏れないように密閉できるようになっており、活性炭Ｂの効果が薄れてきたときには、入れ替えられるように開閉自在としてもよいし、蓋部材１４を含めたポット１６自体を交換する構成であってもよい。ポット１６は、保持部１５に嵌合され保持される円筒状の本体１６ａと、複数の孔が形成された底部１６ａａと、保持部１５にポット１６が落ち込まないように保持する鍔部１６ａｂとを有している。保持部１５に嵌合させる際には、この底部１６ａａが装着者の耳の後ろに接触するように配される。底部１６ａａには、活性炭Ｂの効果を発揮すべく例えば１００〜４００μｍの径の孔が多数形成されている。このとき、底部１６ａａへの孔の加工方法は、特に限定されないが、例えば、本体１６ａが金属材で形成されている場合は、エッチング加工、フォトエッチング加工により、微細孔を形成するようにしてもよい。
なお、底部１６ａａは、図１０（ａ）に示すように平坦面であってもよいが、図９（ｃ）に示すように突条としてもよい。この場合は、突部１２と同様のツボ押し効果が期待できる。
【００４２】
ポット１６に収納される消臭剤は、活性炭Ｂに限定されないが、少量でも消臭効果を発揮できるものが好適に使用される。本実施形態では、消臭剤として多孔質な活性炭Ｂを用いた例を説明する。ここで用いる活性炭Ｂは、多孔質で臭いを吸着できる炭素素材のものであれば、なんでもよい。球状のものを示しており、１ｇあたりの比表面積が約１７００〜１９００ｍ２のものが好適である。底部１６ａａから漏れ出ないように、底部１６ａａの孔よりも小さい粒径のもの、具体的には、粒径が５００μｍ〜６００μｍのものが用いられる。
【００４３】
活性炭Ｂは、例えば以下のように製造してもよい。
原料となる合成樹脂材であるフェノール樹脂等を粉砕し、粉砕片を加工して複数の球体を得る。この球体を高温下（例えば７００〜８００℃程度）で炭化させた後、その処理物を高温下（例えば９００〜１０００℃程度）で水蒸気と反応させる（水蒸気賦活）。この水蒸気賦活により多孔質の構造が形成される。その後、精製し不純物を取り除き、ふるい分けを行い、所望の粒径、及び所望の孔径を有した多孔質な活性炭Ｂが得られる。
なお、賦活としては、水蒸気賦活に限られず、二酸化炭素や空気などを用いて行ってもよい。また、ＫＯＨなどを用いたアルカリ賦活を行ってもよい。また、活性炭Ｂの原料としては、フェノール樹脂に限定されることはなく、ヤシ殻灰や石灰などを用いてもよい。
活性炭Ｂとしては、例えば、Ｂ’ｓ  Ｗｉｐｅｒ（登録商標）や、特許第４２６６７１１号公報及び特許第４３０８７４０号公報に開示された製法で製造されたものを好適に使用することができる。
このようにモダン２６に消臭効果を持たせることができれば、臭いの発生源と言われる耳の後ろや後頭部から発する臭いを吸着できる。よって、例えば中高年の装着者の場合、加齢臭と呼ばれる主成分がノネナールであるとされている臭いは耳の後ろから発するとされており、より効果的に消臭することができる。
【００４４】
ポット１６内には、上述のような活性炭Ｂだけでなく、芳香剤（アロマオイル、香水）、人工酵素、抗菌剤といった機能性物質を収納させてもよい。芳香剤としてアロマオイルや香水を担持させれば、耳の後ろから穏やかな香りを漂わせることができ、さらなる癒し効果等が期待できる。また人工酵素としては、臭い成分を活性酸素で酸化して別の物質に変化させて該臭い成分を分解する作用を有するものを用いてもよい。上記の機能性物質を活性炭Ｂ内に含ませるようにしてもよい。この場合、活性炭Ｂを浸したアイオノマー樹脂溶液などの樹脂溶液中に機能性物質を溶解または分散させて、活性炭Ｂに吸着させるようにすればよい。活性炭Ｂは超多孔質であるため、この方法により活性炭Ｂの孔部（不図示）内にこれら機能性物質を簡易に含ませることができる。
以上によれば、活性炭Ｂの消臭効果に加えて、臭いを吸着し分解する作用があるので、一層持続性のある消臭効果が期待できる。
なお、台座１１に設けられる保持部１５の構成は図例に限定されず、例えば台座１１に穴部を保持部１５として形成し、その穴状の保持部に消臭剤を直接投入し保持させる構成であってもよい。この場合は、穴状の保持部１５を蓋する蓋部材を金属材で形成し、上述のエッチング加工等で微細孔を形成すれば、消臭効果のあるメガネ部品とすることができる。このとき、蓋部材が耳の後ろあたりになる位置に設けられることは言うまでもない。
【００４５】
＜第９実施形態＞
図１１を参照しながら、第９実施形態に係るメガネ部品１Ｈについて説明する。
以下では、上述の実施形態と同じ構成には同じ符号を付し、主に異なる点について説明する。
メガネ部品１Ｈは、モダン２６を構成し、第８実施形態に係るメガネ部品１Ｇの変形例といえるもので、保持部１５、ポット１６を備えている点で共通するが、これらの設けられ方が異なるものである。
【００４６】
メガネ部品１Ｈは、台座１１と、台座に設けられた保持部１５と、保持部１５に嵌合され保持されるポット１６と、ポット１６内に収納された活性炭Ｂとを有している。本実施形態の保持部１５は、台座１１の表裏に貫通し孔状に形成されている。ポット１６は、保持部１５に嵌合される円筒状の本体１６ａと、複数の孔が形成された底部１６ａａと、保持部１５にポット１６が落ち込まないように保持するための鍔部１６ｂａを有した蓋体１６ｂとを備えている。蓋体１６ｂは，本体１６ａに収納された消臭剤等が漏れ出ないようにしっかり密閉できるように構成される。底部１６ａａには、活性炭Ｂの効果を発揮すべく例えば１００〜４００μｍの径の孔が多数形成されている点、この底部１６ａａが装着者の耳の後ろに接触するように配される点は第８実施形態と同様である。またポット１６に収納される活性炭Ｂは、第８実施形態と同様に臭いを吸着できる消臭剤であれば活性炭に限られず、ビーズ状の消臭剤であってもよい。また上述の機能性物質や芳香剤を活性炭と混合しポット１６内に収納してもよいし、上述のように機能性物質を活性炭に含ませるようにしてもよい。さらに消臭剤でなく、芳香剤のみが収納されたものとしてもよいことは言うまでもない。
【００４７】
＜第１０実施形態＞
図１２を参照しながら、第１０実施形態に係るメガネ部品１Ｊについて説明する。
以下では、上述の実施形態と同じ構成には同じ符号を付し、主に異なる点について説明する。メガネ部品１Ｊは、モダン２６を構成し、第８、第９実施形態に係るメガネ部品１Ｇ、１Ｈの変形例といえるもので、保持部１５、消臭剤を備えている点で共通するが、保持部１５の構成や消臭剤が各種ケース１８に収容されている点が異なるものである。
【００４８】
図１２（ａ）に示すメガネ部品１Ｊは、台座１１と、台座１１に設けられた保持部１５と、保持部１５に保持されるケース１８と、ケース１８内に収納された消臭剤とを有している。本実施形態の保持部１５は、台座１１の表側（装着者の皮膚に接触しない側）に突条のケース１８を保持できるように凹状に形成されている。ケース１８は、保持部１５に嵌合されて保持される本体１８ａと、円孔状の通気部１８ｂとを備えている。本体１８ａは半円形状のドーム型からなり、その内部に第８実施形態で説明した消臭剤が収容されている。本体１８ａの素材は特に限定されないが、金属材もしくは合成樹脂材からなるものとしてもよい。保持部１５の径寸法は、ケース１８の本体１８ａが嵌合されるように本体１８ａの径寸法にあわせて形成され、例えば４〜７ｍｍ程度に設定される。ケース１８は、本体１８ａの端部と凹状の保持部１５に互いに螺合する溝を形成する等して、着脱自在とできる構造としてもよく、消臭効果が薄れてきたら、ケース１８毎、交換できるようにしてもよい。着脱自在とする構成は螺合構造に限定されるものではない。ケース１８に収納される消臭剤は、第８実施形態と同様に臭いを吸着できるものであれば、なんでもよい。また上述の機能性物質を活性炭や芳香剤と混合しケース１８内に収納してもよいし、上述のように機能性物質を活性炭に含ませるようにしてもよい。通気部１８ｂの大きさは特に限定するものではないが、消臭剤が漏れ出ることなく、消臭剤の効果が発揮できる構造とされることは言うまでもない。ケース１８の形状等も図例に限定されず、消臭剤が収納でき、消臭剤の効果が発揮できるものであれば、どのような形状でもよい。図１２（ａ）のように小粒なケース１８とすれば、装着者がメガネを装着した際には目立つことがなく、好適といえる。またこの実施形態においても、ケース１８内に消臭剤でなく、芳香剤のみが収納されたものとしてもよいことは言うまでもない。
【００４９】
図１２（ｂ）に示すメガネ部品１Ｊは、ケース１８の構成が図１２（ａ）とは異なる例である。ここに示すケース１８の本体１８ａは扁平な平面視において略長円形状をなし、ケース１８は、本体１８ａの一端部を回転可能に軸支する保持部１５で保持されている。保持部１５は台座１１の端部（モダン２６の先側）に設けられている。ケース１８の表側（装着者の皮膚に対面しない側）には、メッシュ状の通気部１８ｂを有している。ケース１８は、モダン２６の先側に回転可能に設けられているため、装着者の所望の位置に調整することができる。またケース１８は、着脱可能に構成される構造とすれば、消臭剤の効果が減衰した際にパーツとして交換可能とすることができる。また通気部１８ｂの向きも表裏自在に取り付けることができるものとすれば、装着者の好みに応じたものとすることができる。さらにケース１８内に第１及び第２実施形態で説明した磁石を収納した構成としてもよい。この場合、磁石の磁力により、身体のコリの解消や血流の促進効果等を図ることができる。本体１８ａ及び通気部１８ｂの構成は図例に限定されず、消臭剤が漏れ出ることなく、消臭剤の効果を発揮できる構成であればよい。
【００５０】
図１２（ｃ）に示すメガネ部品１Ｊは、ケース１８及び保持部１５の構成が図１２（ａ）及び図１２（ｂ）とは異なる例である。ここに示すケース１８は、女性向けにイヤリングのような身装品をイメージした形状となっており、その形状は図例に限定されるものではない。図１２（ｃ）では本体１８ａが扁平な略三角形のケース１８を示している。ケース１８は、モダン２６を構成する台座１１の先側に形成された孔状の保持部１５にチェーン１９が挿通されており、そのチェーン１９の先に設けられている。ケース１８のいずれか一方の面には、メッシュ状の通気部１８ｂが設けられている。図例のものは、本体１８ａが、チェーン１９にぶら下がった状態となっているので、メガネ１をかけるとこのケース１８とチェーン１９とがイヤリングのようにみえる。よって、アクセサリーのように楽しむことができる。またケース１８の本体１８ａ内に消臭剤に限らず、香水などの芳香剤を入れておけば、香りを楽しむことができる。
【００５１】
本体１８ａの形状は上述のように図例に限定されず、球体でもよいし、カプセル状であってもよい。通気部１８ｂの構成は図例に限定されず、消臭剤が漏れ出ることなく、消臭剤の効果を発揮できる構成であれば、螺旋状に形成されるようにしてもよい。また通気部１８ｂは、一方面に限らず両面に設けてもよい。通気部１８ｂを一方面のみに設ける場合は、他方面はビジュー等、飾りや模様を施したものとしてよい。ケース１８を保持部１５に着脱可能に構成される構造とすれば、消臭剤や芳香剤の効果が減衰した際、また装着者のその日の気分に応じて、パーツとして交換可能とすることができる。
【００５２】
＜第１１実施形態＞
図１３〜図１５を参照しながら、第１０実施形態に係るメガネ部品１Ｋ、１Ｌについて説明する。メガネ部品１Ｋは、メガネ２の一部分である一対の鼻パッド２１，２１の上に重ねて取り付けるものを示している。またメガネ部品１Ｋは、メガネ２のテンプル２３の先に形成され、耳掛部となるモダン２６の上に重ねて取り付けられるものを示している。メガネ部品１Ｋ、１Ｌともにいずれも炭素純度が９０％以上且つ２０００℃以上の熱処理により結晶化された炭素材料を含んで構成した点は上述の実施形態と共通するが、鼻パッド２１、モダン２６に固着可能な接着層１７（図１４(ｂ)、図１５(ｂ)参照）を有している点で上述の実施形態とは異なるものである。以下では、上述の実施形態と同じ構成には同じ符号を付し、主に異なる点について説明する。
【００５３】
（メガネ部品１Ｋ）
図１３及び図１４に示すメガネ部品１Ｋは、略米粒形状の台座１１と、鼻パッド２１の上に固着される接着層１７（図１４（ｂ）参照）とを有している。
装着者の鼻に接触する台座１１は、熱可塑性の樹脂材に対して３〜５μｍの黒鉛粒子を２０〜５０％含有させ射出成型により形成されたものとしてもよいし、Ｃ／Ｃコンポジット、等方性高密度炭素材をけずりだして形成したものとしてもよい。
メガネ部品１Ｋは、鼻パッド２１の上に固着し、メガネ２を装着した装着者の付け心地がよく、違和感がないように１〜２ｍｍの薄状とし、エッジ部分はＲ加工（面取加工）が施される。この実施形態においても、台座１１の表面（（装着者の鼻に接触する面）に、各種ＤＬＣ処理、梨地処理を行ってもよい。
また図示していないが、メガネ部品１Ｋは、樹脂材で台座１１を形成しその上に第２実施形態に記載した炭素シート１０を貼り付けて形成したものとしてよいし、第３実施形態に記載し図４等に示すような突部１２を有したものとしてもよい。さらに突部１２に磁石Ｍを設けたものとしてもよい。
（接着層）
接着層１７は、台座１１を鼻パッド２１の上に固着できるものであれば、粘着テープ材であっても、接着剤であってもよい。また接着層１７は、粘着性を有し、繰り返し貼付可能なジェル剤であってもよい。接着層１７の層厚は、０．０３〜０．５ｍｍ程度に設定される。
以上によれば、既存のメガネ２に後付けでメガネ部品１Ｋを固着することができ、装着者によって、遠赤外線効果や放熱性、ストレス軽減効果等を備えたメガネにカスタマイズすることができる。
【００５４】
図１４（ａ）は、台座１１が略米粒状に形成された例を示しているが、これに限定されず、鼻パッド２１の形状に合わせて、若干いびつな円形状の図１４（ｃ）や楕円形状の図１４（ｄ）に示すようなものであってもよい。
【００５５】
（メガネ部品１Ｌ）
図１３及び図１５に示すメガネ部品１Ｌは、細長の略方形状の台座１１と、モダン２６の上に固着される接着層１７（図１５（ｂ）参照）とを有している。
メガネ部品１Ｋと同様に、装着者の鼻に接触する台座１１は、熱可塑性の樹脂材に対して３〜５μｍの黒鉛粒子を２０〜５０％含有させ射出成型により形成されたものとしてもよいし、Ｃ／Ｃコンポジット、等方性高密度炭素材をけずりだして形成したものとしてもよい。
メガネ部品１Ｌは、モダン２６の上に固着し、メガネ２を装着した装着者の耳の後ろに当たった状態で付け心地がよく、違和感がないように１〜３ｍｍの薄状とし、エッジ部分はＲ加工（面取加工）が施される。この実施形態においても、台座１１の表面（（装着者の鼻に接触する面）に、各種ＤＬＣ処理、梨地処理を行ってもよい。
また図示していないが、メガネ部品１Ｌも、樹脂材で台座１１を形成しその上に第２実施形態に記載した炭素シート１０を貼り付けて形成したものとしてよいし、第３実施形態に記載し図４等に示すような突部１２を有したものとしてもよい。さらに突部１２に磁石Ｍを設けたものとしてもよい。
（接着層）
接着層１７は、台座１１をモダン２６の上に固着できるものであれば、粘着テープ材であっても、接着剤であってもよい。また接着層１７は、粘着性を有し、繰り返し貼付可能なジェル剤であってもよい。接着層１７の層厚は、０．０３〜０．５ｍｍ程度に設定される。
以上によれば、既存のメガネ２に後付けでメガネ部品１Ｌを固着することができ、装着者によって、遠赤外線効果や放熱性、ストレス軽減効果等を備えたメガネにカスタマイズすることができる。
【００５６】
図１５（ａ）は、台座１１が一方が湾曲した端部を持つ略方形状に形成された例を示しているが、これに限定されず、モダン２６の形状に合わせて、細い扇状の図１５（ｃ）や両端部が半円状の図１５（ｄ）に示すようなものであってもよい。
【００５７】
以上、メガネ部品１，１Ａ〜１Ｌが取り付けられるメガネ２は、図例に限定されず、レンズ２０、鼻パッド２１、テンプル２３、リム２４、ブリッジ２５、モダン２６等のメガネ２の各部材の形状、構成も図例に限定されるものではない。また図例のメガネ２はテンプルを折りたたむためのヒンジを省略しているが、ヒンジを有したメガネに適用可能であることはいうまでもない。さらにメガネ部品として適用例として鼻パッド２１、モダン２６に適用した例を説明したが、リム２４、ブリッジ２５、テンプル２３を構成する部材を上述の炭素材料で作製してもよい。そして、ポット１６に消臭剤等を収納する構造も図例に限定されず、要は装着者の耳の後ろに接触する部位にポット１６を配し、効果的に消臭できる構造であればよい。
【符号の説明】
【００５８】
１，１Ａ〜１Ｌ        メガネ部品
１０                  炭素シート
１１                  台座
１１ａ                表面
１２                  突部
１５                  保持部
１７                  接着層
２１                  鼻パッド
２６                  モダン
【図１】
2019040170.tif 000003
【図２】
2019040170.tif 000004
【図３】
2019040170.tif 000005
【図４】
2019040170.tif 000006
【図５】
2019040170.tif 000007
【図６】
2019040170.tif 000008
【図７】
2019040170.tif 000009
【図８】
2019040170.tif 000010
【図９】
2019040170.tif 000011
【図１０】
2019040170.tif 000012
【図１１】
2019040170.tif 000013
【図１２】
2019040170.tif 000014
【図１３】
2019040170.tif 000015
【図１４】
2019040170.tif 000016
【図１５】
2019040170.tif 000017